(57)【特許請求の範囲】
【請求項１】
ガス化炉でガス化炉流動用ガスにより流動媒体の流動層を形成して該ガス化炉の一側に投入される原料のガス化を行いガス化ガスと可燃性固形分とを生成し、該ガス化炉で生成されたガス化ガスを取り出す一方、前記ガス化炉で生成された可燃性固形分を流動媒体と共にガス化炉の他側から燃焼炉へ導入し且つ該燃焼炉で燃焼炉流動用ガスにより流動層を形成して前記可燃性固形分の燃焼を行いつつ該燃焼炉の燃焼排ガスから媒体分離装置で流動媒体を分離し該分離した流動媒体を前記ガス化炉に戻す循環流動層式ガス化方法において、
前記ガス化炉の一側に原料を投入する原料投入管は流動層の上面より上の位置に開口し、前記媒体分離装置で分離した流動媒体を前記ガス化炉の内部へ投入する媒体流下管は流動層の上面より上の位置で且つ前記原料投入管の開口に対しガス化炉の他側がわで隣接して開口しており、前記原料投入管によりガス化炉の流動層に投入した原料を、前記媒体流下管により前記ガス化炉に投入した流動媒体が流動層に潜り込む流れに同伴させるようにしたことを特徴とする循環流動層式ガス化方法。
【請求項２】
ガス化炉流動用ガスにより流動媒体の流動層を形成して一側に投入される原料のガス化を行いガス化ガスと可燃性固形分とを生成するガス化炉と、該ガス化炉で生成された可燃性固形分が流動媒体と共にガス化炉の他側から導入され且つ燃焼炉流動用ガスにより流動層を形成して前記可燃性固形分の燃焼を行う燃焼炉と、該燃焼炉の燃焼排ガスから流動媒体を分離し該分離した流動媒体を前記ガス化炉に戻す媒体分離装置とを備えた循環流動層式ガス化装置において、
前記ガス化炉の一側における流動層の上面より上の位置に開口して前記原料をガス化炉に投入する原料投入管と、
前記ガス化炉の一側における流動層の上面より上の位置で且つ前記原料投入管の開口に対しガス化炉の他側がわで隣接して開口し前記媒体分離装置で分離された流動媒体をガス化炉に投入する媒体流下管と
を備えたことを特徴とする循環流動層式ガス化装置。
【発明の詳細な説明】
【技術分野】
【０００１】
本発明は、循環流動層式ガス化方法及び装置に関するものである。
【背景技術】
【０００２】
従来より、燃料として、石炭、バイオマス、廃プラスチック、或いは各種の含水廃棄物等の原料を用い、ガス化ガスを生成する循環流動層式ガス化装置の開発が進められている。
【０００３】
図３は従来の循環流動層式ガス化装置の一例を示すものであって、該循環流動層式ガス化装置は、前記原料が投入され且つガス化剤を兼ねる水蒸気等のガス化炉流動用ガスにより流動媒体（硅砂等）の流動層１を形成して前記原料のガス化を行いガス化ガスと可燃性固形分とを生成するガス化炉２と、該ガス化炉２で生成された可燃性固形分が流動媒体と共に抜出ループシール管３を介して導入され且つ空気又は酸素等の燃焼炉流動用ガスにより流動層４を形成して前記可燃性固形分の燃焼を行う燃焼炉５と、該燃焼炉５の燃焼排ガスを抜き出す排ガス配管６途中に設けられ且つ前記燃焼排ガスから流動媒体を分離し該分離した流動媒体を媒体流下管７を介して前記ガス化炉２に供給するサイクロン等の媒体分離装置８とを備えてなる構成を有している。
【０００４】
尚、図３中、９は前記原料をガス化炉２に投入する原料投入管、１０は前記ガス化炉２の底部に形成されたウインドボックス、１１は該ウインドボックス１０へ導入されるガス化炉流動用ガスをガス化炉２内部へ均一に吹き込んで流動層１を形成するための多数の散気ノズル１１ａを有する散気板、１２は前記燃焼炉５の底部に形成されたウインドボックス、１３は該ウインドボックス１２へ導入される燃焼炉流動用ガスを燃焼炉５内部へ均一に吹き込んで流動層４を形成するための多数の散気ノズル１３ａを有する散気板である。
【０００５】
又、前記媒体流下管７の途中にはループシール部７ａが形成され、前記ガス化炉２で生成されたガス化ガスが媒体分離装置８へ逆流しないようにしてある。
【０００６】
前述の如き循環流動層式ガス化装置においては、通常運転時、ガス化炉２において、ガス化剤を兼ねる水蒸気等のガス化炉流動用ガスによりウインドボックス１０の散気板１１上に流動層１が形成されており、ここに原料投入管９から石炭等の原料を投入すると、該原料はガス化され、ガス化ガスと可燃性固形分とが生成され、前記ガス化炉２で生成された可燃性固形分は流動媒体と共に抜出ループシール管３を介し抜き出されて、前記燃焼炉流動用ガスによりウインドボックス１２の散気板１３上に流動層４が形成されている燃焼炉５へ導入され、該可燃性固形分の燃焼が行われ、該燃焼炉５からの燃焼排ガスは、排ガス配管６を介して媒体分離装置８へ導入され、該媒体分離装置８において、前記燃焼排ガスから流動媒体が分離され、該分離された流動媒体は媒体流下管７を介して前記ガス化炉２に戻され、循環される。
【０００７】
ここで、前記燃焼炉５で可燃性固形分の燃焼に伴い高温になった流動媒体が燃焼排ガスと共に排ガス配管６を通り前記媒体分離装置８で分離され、前記媒体流下管７を介してガス化炉２に供給されることにより、ガス化炉２の高温が保持されると共に、原料の熱分解によって生成したガスや、その残渣原料が水蒸気と反応することによって、水性ガス化反応［Ｃ＋Ｈ2Ｏ＝Ｈ2＋ＣＯ］や水素転換反応［ＣＯ＋Ｈ2Ｏ＝Ｈ2＋ＣＯ2］が起こり、Ｈ2やＣＯ等の可燃性のガス化ガスが生成される。
【０００８】
前記ガス化炉２で生成されたガス化ガスは、図示していないサイクロン等の媒体分離装置で煤塵等が分離除去された後、化学プラント或いはガスタービン等に供給される一方、前記媒体分離装置８で流動媒体が分離された燃焼排ガスは、排ガス処理設備へ送られる。
【０００９】
因みに、前記循環流動層式ガス化装置における通常運転中の熱量不足時、即ち前記ガス化炉２において原料のガス化のための充分な熱が得られないような場合には、前記ガス化炉２へ供給される原料と同じ石炭等の燃料が補助的に前記燃焼炉５へ投入されて燃焼が行われ、不足する熱を補うようになっている。又、前記循環流動層式ガス化装置における通常運転に到る前段階での循環予熱運転時には、前記ガス化炉２への原料の投入は行わずに、該ガス化炉２の底部から水蒸気の代わりに流動用の空気を供給した状態で、前記石炭等の燃料が予熱用として前記燃焼炉５へ投入されて燃焼が行われ、該燃焼炉５での燃料の燃焼に伴い高温になった流動媒体が燃焼排ガスと共に排ガス配管６を通り前記媒体分離装置８で分離され、前記媒体流下管７を介してガス化炉２に供給されることにより、循環流動層式ガス化装置の循環予熱が行われるようになっている。
【００１０】
尚、前述の如き循環流動層式ガス化装置と関連する一般的技術水準を示すものとしては、例えば、特許文献１がある。
【先行技術文献】
【特許文献】
【００１１】
【特許文献１】特開２００７−１１２８７３号公報
【発明の概要】
【発明が解決しようとする課題】
【００１２】
ところで、前述の如き従来の循環流動層式ガス化装置の場合、前記原料を原料投入管９からガス化炉２内部の一側（上流側）に投入すると共に、前記媒体分離装置８で分離された流動媒体を媒体流下管７を介してガス化炉２内部の一側に戻し、該ガス化炉２内部の流動媒体及び可燃性固形分を前記ガス化炉２の他側（下流側）に接続された抜出ループシール管３から抜き出して燃焼炉５へ導入する構造となっており、流動層１の表層での流動媒体の水平方向移動速度が底部より速くなっているが、石炭等の原料は珪砂等の流動媒体より比重が小さく、前記流動層１の表層での流動媒体の流れに乗りやすくなっているため、ガス化炉２内部での原料の滞留時間が短くなってガス化反応時間を確保できず、ガス化性能の低下につながる虞があった。
【００１３】
前記ガス化炉２内部での原料の滞留時間を長くして、該原料のガス化反応時間を確保するためには、ガス化炉２の一側から他側に向かう方向の長さを長くする必要があるが、該ガス化炉２の長さを長くすると、製作費や改修費が嵩むと共に、設置スペースも広くする必要があり、好ましくなかった。
【００１４】
一方、特許文献１に開示されたものは、ガス化炉の一側と他側との間に、鉛直な仕切板を所要の間隔で多数配置してガス化炉内部の一側から他側に向け上下で曲折したジグザグ状の湾曲流路を形成することにより、ガス化性能の低下を回避しようとするものであるが、高温となるガス化炉内部に多数の仕切板を配設することは現実問題として非常に難しく、改善の余地が残されていた。
【００１５】
本発明は、斯かる実情に鑑み、ガス化炉を一方向へ長大化することなく且つ高温となるガス化炉内部に仕切板を配設することなく、ガス化炉内部での原料の滞留時間を長くしてガス化反応時間を確保することができ、ガス化性能向上を図り得る循環流動層式ガス化方法及び装置を提供しようとするものである。
【課題を解決するための手段】
【００１６】
本発明は、ガス化炉でガス化炉流動用ガスにより流動媒体の流動層を形成して該ガス化炉の一側に投入される原料のガス化を行いガス化ガスと可燃性固形分とを生成し、該ガス化炉で生成されたガス化ガスを取り出す一方、前記ガス化炉で生成された可燃性固形分を流動媒体と共にガス化炉の他側から燃焼炉へ導入し且つ該燃焼炉で燃焼炉流動用ガスにより流動層を形成して前記可燃性固形分の燃焼を行いつつ該燃焼炉の燃焼排ガスから媒体分離装置で流動媒体を分離し該分離した流動媒体を前記ガス化炉に戻す循環流動層式ガス化方法において、
前記ガス化炉の一側に原料を投入する原料投入管は流動層の上面より上の位置に開口し、前記媒体分離装置で分離した流動媒体を前記ガス化炉の内部へ投入する媒体流下管は流動層の上面より上の位置で且つ前記原料投入管の開口に対しガス化炉の他側がわで隣接して開口しており、前記原料投入管によりガス化炉の流動層に投入した原料を、前記媒体流下管により前記ガス化炉に投入した流動媒体が流動層に潜り込む流れに同伴させるようにしたことを特徴とする循環流動層式ガス化方法にかかるものである。
【００１７】
又、本発明は、ガス化炉流動用ガスにより流動媒体の流動層を形成して一側に投入される原料のガス化を行いガス化ガスと可燃性固形分とを生成するガス化炉と、該ガス化炉で生成された可燃性固形分が流動媒体と共にガス化炉の他側から導入され且つ燃焼炉流動用ガスにより流動層を形成して前記可燃性固形分の燃焼を行う燃焼炉と、該燃焼炉の燃焼排ガスから流動媒体を分離し該分離した流動媒体を前記ガス化炉に戻す媒体分離装置とを備えた循環流動層式ガス化装置において、
前記ガス化炉の一側における流動層の上面より上の位置に開口して前記原料をガス化炉に投入する原料投入管と、
前記ガス化炉の一側における流動層の上面より上の位置で且つ前記原料投入管の開口に対しガス化炉の他側がわで隣接して開口し前記媒体分離装置で分離された流動媒体をガス化炉に投入する媒体流下管と
を備えたことを特徴とする循環流動層式ガス化装置にかかるものである。
【００１８】
上記手段によれば、以下のような作用が得られる。
【００１９】
前記ガス化炉内部では、流動層の表層での流動媒体の水平方向移動速度が底部より速くなっており、石炭等の原料は珪砂等の流動媒体より比重が小さく、前記流動層の表層での流動媒体の流れに乗りやすくなっているが、原料投入管からガス化炉の一側に投入される原料は、媒体流下管から投入される流動媒体のガス化炉内部の流動層に潜り込む流れに同伴されることから、前記ガス化炉の他側の上部から原料が短時間で出て行ってしまうことがなくなり、ガス化炉内部での原料の滞留時間が長くなり、該原料のガス化反応時間を確保することが可能となり、ガス化炉の一側から他側に向かう方向の長さを長くしなくて済み、これにより、製作費や改修費が抑えられると共に、設置スペースも広くする必要がなく、しかも、高温となるガス化炉内部に仕切板を配設しなくて済む。
【発明の効果】
【００２０】
本発明の循環流動層式ガス化方法及び装置によれば、ガス化炉を一方向へ長大化することなく且つ高温となるガス化炉内部に仕切板を配設することなく、ガス化炉内部での原料の滞留時間を長くしてガス化反応時間を確保することができ、ガス化性能向上を図り得るという優れた効果を奏し得る。
【図面の簡単な説明】
【００２１】
【図１】本発明の実施例を示す全体概要構成図である。
【図２】図１のＩＩ−ＩＩ断面相当図である。
【図３】従来の循環流動層式ガス化装置の一例を示す全体概要構成図である。
【発明を実施するための形態】
【００２２】
以下、本発明の実施の形態を添付図面を参照して説明する。
【００２３】
図１及び図２は本発明の実施例であって、図中、図３と同一の符号を付した部分は同一物を表わしており、基本的な構成は図３に示す従来のものと同様であるが、本実施例の特徴とするところは、図１及び図２に示す如く、ガス化炉２の一側に接続される原料投入管９の投入口９ａをガス化炉２内部の流動層１上方位置に開口させると共に、媒体流下管７の下端開口部７ｂを前記原料投入管９の投入口９ａに隣接する少なくとも下流側に配設した点にある。
【００２４】
本実施例の場合、前記媒体流下管７の下端開口部７ｂは、図２に示す如く、ガス化炉２の内面における幅Ｗ（ガス化炉２の一側から他側に向かう長手方向と直角な水平方向内面寸法）と略等しい長円形状としてある。
【００２５】
次に、上記実施例の作用を説明する。
【００２６】
前記ガス化炉２内部では、流動層１の表層での流動媒体の水平方向移動速度が底部より速くなっており、石炭等の原料は珪砂等の流動媒体より比重が小さく、前記流動層１の表層での流動媒体の流れに乗りやすくなっているが、原料投入管９の投入口９ａからガス化炉２の一側に投入される原料は、媒体流下管７の下端開口部７ｂから投入される流動媒体のガス化炉２内部の流動層１に潜り込む流れに同伴されることから、前記ガス化炉２の他側の上部から原料が短時間で出て行ってしまうことがなくなり、ガス化炉２内部での原料の滞留時間が長くなり、該原料のガス化反応時間を確保することが可能となり、ガス化炉２の一側から他側に向かう方向の長さを長くしなくて済み、これにより、製作費や改修費が抑えられると共に、設置スペースも広くする必要がなく、しかも、高温となるガス化炉２内部に仕切板を配設しなくて済む。
【００２７】
本実施例の場合、前記媒体流下管７の下端開口部７ｂは、図２に示す如く、ガス化炉２の内面における幅Ｗと略等しい長円形状としてあるため、前記原料投入管９から投入される原料が流動層１の表層での流動媒体の流れに乗ってガス化炉２の下流側（他側）へ移動することをより確実に抑えられるようになっている。尚、前記媒体流下管７の下端開口部７ｂの形状は、長円に限らず、円や矩形とすることも可能である。
【００２８】
こうして、ガス化炉２を一方向へ長大化することなく且つ高温となるガス化炉２内部に仕切板を配設することなく、ガス化炉２内部での原料の滞留時間を長くしてガス化反応時間を確保することができ、ガス化性能向上を図り得る。
【００２９】
尚、本発明の循環流動層式ガス化方法及び装置は、上述の実施例にのみ限定されるものではなく、本発明の要旨を逸脱しない範囲内において種々変更を加え得ることは勿論である。
【符号の説明】
【００３０】
１    流動層
２    ガス化炉
３    抜出ループシール管
４    流動層
５    燃焼炉
７    媒体流下管
７ａ  ループシール部
７ｂ  下端開口部
８    媒体分離装置
９    原料投入管
９ａ  投入口
【図１】
0005614027.tif 000002
【図２】
0005614027.tif 000003
【図３】
0005614027.tif 000004